(57)【要約】【課題】施工の際に生じるずれを修正できる竪樋支持具を提供する。【解決手段】固定部材２と、可動部材３と、を備える。固定部材２は、固定部２１と、固定部２１から建物６の外方に向けて突設される固定側連結部２２と、を有する。固定側連結部２２は、建物６の内外方向に凹部分を連結凹部２２ａとし凸部分を連結凸部２２ｂとする複数の凹凸を交互に有する。可動部材３は、固定側連結部２２に止め具４が用いられて連結される可動側連結部３１と、竪樋７が支持される支持部３２と、を有する。可動側連結部３１は、横方向に複数設けられる連結孔３１ａを有する。連結孔３１ａに連結凸部２２ｂが挿入され、連結凸部２２ｂに隣接する二つの連結凹部２２ａに止め具４が挿入される。二つの止め具４により、可動部材３が固定部材２に固定されることを特徴とする。【選択図】図１
2015017414.tif 000002
【特許請求の範囲】
【請求項１】
固定部材と、
前記固定部材に連結される可動部材と、を備え、
前記固定部材は、建物の外壁に固定される固定部と、前記固定部から前記建物の外方に向けて突設される固定側連結部と、を有し、
前記固定側連結部は、建物の内外方向に凹部分を連結凹部とし凸部分を連結凸部とする複数の凹凸を交互に有し、
前記可動部材は、前記固定側連結部に止め具が用いられて連結される可動側連結部と、前記可動側連結部から前記建物の外方に向けて突出し竪樋が支持される支持部と、を有し、
前記可動側連結部は、前記固定側連結部が挿入される、横方向に複数設けられる連結孔を、有し、
前記連結孔に前記連結凸部が挿入され、前記連結凸部に隣接する二つの前記連結凹部に前記止め具が夫々挿入され、二つの前記止め具で前記可動側連結部が挟持されることにより、前記可動部材が前記固定部材に固定されることを特徴とする竪樋支持具。
【請求項２】
前記止め具は、内部に貫通する嵌め込み孔と、前記嵌め込み孔から前記止め具の外側端部まで設けられる挿入口と、を有することを特徴とする請求項１記載の竪樋支持具。
【発明の詳細な説明】
【技術分野】
【０００１】
本発明は、竪樋支持具に関するものである。
【背景技術】
【０００２】
従来から、建物の外壁に固定される固定部と、固定部から建物の外方に突出し竪樋が支持される支持部と、を備えた竪樋支持具が知られている（例えば特許文献１参照）。
【先行技術文献】
【特許文献】
【０００３】
【特許文献１】特開２０００−３４８１１号公報
【発明の概要】
【発明が解決しようとする課題】
【０００４】
ところで、竪樋支持具は建物の上下方向に一列となり、竪樋と対向するように建物の外壁に固定される。しかし、竪樋支持具は、施工の際に上下方向に一列に配設されず、左右方向にずれが生じる場合がある。また、建物の外壁が凹凸を有し、その建物の外壁の不陸により、竪樋支持具を建物の外壁に固定すると前後方向にずれが生じる場合があった。左右方向又は前後方向のずれが生じたまま特許文献１に記載されている発明の竪樋支持具を竪樋に取付けると、竪樋が湾曲してしまう。竪樋が湾曲すると、湾曲を元に戻そうとする力が竪樋に発生し、竪樋支持具が損傷してしまう虞があった。
【０００５】
本発明は上記従来の問題点に鑑みて発明したものであって、その目的とするところは、左右方向又は前後方向のずれを修正できる竪樋支持具を提供することを課題とするものである。
【課題を解決するための手段】
【０００６】
上記課題を解決するために、本発明は、以下のような構成とする。
【０００７】
固定部材と、前記固定部材に連結される可動部材と、を備え、前記固定部材は、建物の外壁に固定される固定部と、前記固定部から前記建物の外方に向けて突設される固定側連結部と、を有し、前記固定側連結部は、建物の内外方向に凹部分を連結凹部とし凸部分を連結凸部とする複数の凹凸を交互に有し、前記可動部材は、前記固定側連結部に止め具が用いられて連結される可動側連結部と、前記可動側連結部から前記建物の外方に向けて突出し竪樋が支持される支持部と、を有し、前記可動側連結部は、前記固定側連結部が挿入される、横方向に複数設けられる連結孔を、有し、前記連結孔に前記連結凸部が挿入され、前記連結凸部に隣接する二つの前記連結凹部に前記止め具が夫々挿入され、二つの前記止め具で前記可動側連結部が挟持されることにより、前記可動部材が前記固定部材に固定されることを特徴とする。
【０００８】
また、前記止め具は、内部に貫通する嵌め込み孔と、前記嵌め込み孔から前記止め具の外側端部まで設けられる挿入口と、を有することが好ましい。
【発明の効果】
【０００９】
本発明の竪樋支持具は、可動側連結部に複数の連結孔が横方向に設けられる。これにより、竪樋支持具が施工の際左右方向にずれて建物の外壁に固定されたとしても、固定側連結部を他の連結孔に挿入し直すことで、そのずれを修正することができる。そして、固定側連結部は、建物の内外方向に、凸部を連結凸部とし凹部を連結凹部とする複数の凹凸を有する。上記した連結孔に連結凸部が挿入され、その連結凸部に隣接する連結凹部に止め具が挿入されることにより、固定部材に可動部材が固定される。これにより、建物の外壁の不陸が原因で竪樋支持具が前後方向にずれたとしても、複数の連結凸部から最適なものを選択することで、前後方向のずれを修正することができる。
【図面の簡単な説明】
【００１０】
【図１】本実施形態の竪樋支持具と竪樋の平面断面図である。
【図２】本実施形態の竪樋支持具を図１に示すＡ方向から視たときの固定側連結部と止め具の断面図である。
【図３】本実施形態の竪樋支持具を竪樋に取付けた側面図である。
【発明を実施するための形態】
【００１１】
竪樋支持具１は、固定部材２と、固定部材２に連結される可動部材３と、を備える。固定部材２は、建物６の外壁に固定される固定部２１と、固定部２１から建物６の外方に向けて突設される固定側連結部２２と、を有する。固定側連結部２２は、建物の内外方向に、凹部分を連結凹部２２ａとし凸部分を連結凸部２２ｂとする複数の凹凸を交互に有する。可動部材３は、固定側連結部２２に止め具４が用いられて連結される可動側連結部３１と、可動側連結部３１から建物６の外方に向けて突出し竪樋７が支持される支持部３２と、を有する。可動側連結部３１は、固定側連結部２２が挿入される、横方向に複数設けられる連結孔３１ａを、有する。連結孔３１ａに連結凸部２２ｂが挿入され、連結凸部２２ｂに隣接する二つの連結凹部２２ａに止め具４が夫々挿入される。二つの止め具４で可動側連結部３１が挟持されることにより、可動部材３が固定部材２に固定されることを特徴とする。
【００１２】
また、止め具４は、内部に貫通する嵌め込み孔４１と、嵌め込み孔４１から止め具４の外端部まで設けられる挿入口４２と、を有することが好ましい。
【００１３】
以下、本発明を添付図面に示す実施形態に基いて説明する。
【００１４】
竪樋支持具１は、建物６の外壁に固定される。そして、竪樋支持具１は、図１に示すように、竪樋７の建物６側に設けられる結合部５と結合される。竪樋７は、呼び樋（図示せず）と連通するエルボ（図示せず）と排水筒（図示せず）との間に配設される。竪樋支持具１は、竪樋７が風等の外力によりエルボと排水筒との間から外れないように竪樋７を固定する。竪樋支持具１は、本実施形態では、図１に示すように、固定部材２と、固定部材２に連結される可動部材３と、を備える。
【００１５】
固定部材２は、建物６の外壁に竪樋支持具１を固定するために設けられる。固定部材２は、本実施形態では、図１に示すように、平面視Ｌ字状となっているが、その形状は限定されない。固定部材２は、本実施形態では金属で形成されるが、材質は特に限定されない。固定部材２は、本実施形態では、建物６の外壁に固定される固定部２１と、固定部２１から建物６の外方に向けて突設される固定側連結部２２と、を有する。
【００１６】
固定部２１は、本実施形態では、図１に示すように、厚みが薄肉の平板状となる。なお、固定部２１の形状は、上記した形状に限定されない。固定部２１には、固定孔２１ａが設けられる。固定孔２１ａは、固定部材２を建物６の外壁に固定するための固定具２１ｂを挿通させる。
【００１７】
固定側連結部２２は、本実施形態では、図１に示すように、厚みが薄肉の平板状となる。なお、固定側連結部２２の形状は、上記した形状に限定されない。
【００１８】
固定側連結部２２は、本実施形態では、図３に示すように、建物６の内外方向に凹部分を連結凹部２２ａとし凸部分を連結凸部２２ｂとする複数の凹凸を交互に有する。連結凹部２２ａと連結凸部２２ｂは、本実施形態では、図３に示すように、固定側連結部２２の上側端部と下側端部に設けられる。なお、連結凹部２２ａと連結凸部２２ｂは、固定側連結部２２の上側端部あるいは下側端部のどちらか片側のみに設けられてもよい。
【００１９】
連結凹部２２ａは、本実施形態では、図３に示すように、固定側連結部２２の上側端部と下側端部とが互いに近付く方向に凹状となる。連結凹部２２ａは側面視矩形状となっているが、その形状は特に限定されない。本実施形態では、図３に示すように、固定側連結部２２の上端部に設けられる連結凹部２２ａと下端部に設けられる連結凹部２２ａとの間を嵌め込み部２２ｃとする。
【００２０】
連結凸部２２ｂは、本実施形態では、図３に示すように、固定側連結部２２の上側端部と下側端部とが互いに離れる方向に凸状となる。連結凸部２２ｂは側面視矩形状となっているが、その形状は特に限定されない。
【００２１】
可動部材３には、本実施形態では、図１に示すように、固定側連結部２２が挿入される。可動部材３は、本実施形態では、図１に示すように、結合部５と結合する。可動部材３は、本実施形態では、図１に示すように、平面視略Ｃ字状となっているが、その形状は特に限定されない。可動部材３は、本実施形態では、樹脂あるいは金属で形成されるが、その材質は特に限定されない。可動部材３は、固定側連結部２２に止め具４が用いられて連結される可動側連結部３１と、可動側連結部３１から建物６の外方に向けて突出し竪樋７が支持される支持部３２と、を有する。
【００２２】
支持部３２は、本実施形態では、図１に示すように、可動側連結部３１の左右方向の両端部から竪樋７に向けて突出する。支持部３２は、本実施形態では、図１に示すように、平面視Ｌ字状となっているが、その形状は特に限定されない。支持部３２の先端は、支持部３２の対向する方向へと突出する係合爪３２ａとなる。
【００２３】
係合爪３２ａの竪樋７側端部は、支持部３２の対向する方向へ行く程建物６の方向へと位置するように傾斜する。
【００２４】
可動側連結部３１は、固定側連結部２２が挿入される、横方向に複数設けられる連結孔３１ａを有する。
【００２５】
連結孔３１ａは、本実施形態では、図２に示すように、正面視矩形状に形成されるが、その形状は特に限定されない。連結孔３１ａは、本実施形態では、固定側連結部２２が挿入され易いように、固定側連結部２２の正面視の断面形状よりも大きく形成される。なお、連結孔３１ａは、固定側連結部２２の正面視の形状と略等しい大きさで形成されるのが好ましい。
【００２６】
連結孔３１ａは、本実施形態では、図２に示すように、可動側連結部３１の左右方向に三個設けられるが、その数は限定されない。連結孔３１ａは、少なくとも可動側連結部３１の左右方向の中心に設けられるのが好ましい。
【００２７】
連結孔３１ａに連結凸部２２ｂが挿入され、連結凸部２２ｂに隣接する二つの連結凹部２２ａに止め具４が夫々挿入される。そして、二つの止め具４で可動側連結部３１が挟持されることにより、可動部材３と固定部材２とを固定する。
【００２８】
止め具４は、固定側連結部２２の連結凹部２２ａに挿入される。止め具４は、本実施形態では、金属で形成される。止め具４の前後方向の長さは、本実施形態では、図３に示すように、連結凹部２２ａの前後方向の長さと等しい。なお、止め具４の前後方向の長さは、特に限定されない。止め具４の内径は、本実施形態では、図２に示すように、嵌め込み部２２ｃの上下方向の長さと略等しくなる。
【００２９】
止め具４はＣ字状である。止め具４は、内部に貫通する嵌め込み孔４１と、嵌め込み孔４１から止め具４の外端部まで設けられる挿入口４２と、を有する。止め具４は、本実施形態では、図２に示すように、市場に一般的に流通しているＪＩＳ規格のＣ型止め輪を用いる。
【００３０】
挿入口４２の幅は、本実施形態では、図２に示すように、固定側連結部２２の左右方向の幅と略等しい。なお、挿入口４２の幅は、固定側連結部２２の左右方向の幅よりも小さい方が好ましいが、幅の長さは限定されない。
【００３１】
嵌め込み孔４１には、嵌め込み部２２ｃが挿入される。
【００３２】
本実施形態では、竪樋７が建物６の外壁に沿って固定されるため、竪樋７の建物６側に結合部５が設けられる。結合部５は、本実施形態では、図１に示すように、平面視略Ｃ字状をしているが、その形状は特に限定されない。結合部５は、本実施形態では、樹脂で形成されるが、材質は特に限定されない。結合部５は、竪樋７に設けられる基台部５１と、基台部５１の左右方向の両端部から建物６に向かって突出する被支持部５２と、を備える。
【００３３】
被支持部５２は、本実施形態では、図１に示すように、平面視Ｌ字状をしているが、その形状は特に限定されない。被支持部５２の先端は、被支持部５２が対向する方向とは逆方向に突出する被係合爪５２ａを有する。
【００３４】
被係合爪５２ａの建物６側の端部は、被支持部５２が対向する方向とは逆方向に行く程竪樋７の方向へと位置するように傾斜する。
【００３５】
結合部５は、本実施形態では、図３に示すように、建物６の外壁に固定される竪樋支持具１に合わせて、複数の結合部５が竪樋７の上下方向に、隣り合う結合部５の間に間隙を有して振動溶着により取付けられる。なお、結合部５は、押出成型により、竪樋７の上下方向の全長に亘って竪樋７と一体に形成されてもよい。
【００３６】
上記した竪樋支持具１により竪樋７を建物６の外壁に固定するその施工手順について説明する。まず、固定側連結部２２を可動側連結部３１の連結孔３１ａに挿入し、止め具４により固定部材２と可動部材３を連結させる。ここで、止め具４は以下のように固定側連結部２２に連結される。作業者は、止め具４の挿入口４２に嵌め込み部２２ｃの上端部（下端部）を挿入する。作業者は、止め具４を下方（上方）に押圧し、嵌め込み部２２ｃを嵌め込み孔４１内に挿入する。嵌め込み部２２ｃを全て嵌め込み孔４１内部に挿入すると、作業者は、止め具４の挿入口４２が左右方向どちらかを向くまで止め具４を回動させる。二つの止め具４により、可動部材３は挟持され、固定部材２と可動部材３は固定される。上記したように固定部材２と可動部材３とを連結した竪樋支持具１を形成しておく。作業者は、固定部材２の固定孔２１ａに固定具２１ｂを挿通させ、建物６に固定具２１ｂを取付けることにより、上記した竪樋支持具１を建物６に固定する。しかし、作業者が、固定部材２を建物６の外壁に固定する際、固定部材２を左右方向にずれて固定してしまう場合がある。この場合は、可動側連結部３１の連結孔３１ａが左右方向に複数設けられているので、その連結孔３１ａの中で左右方向のずれを修正できるものを選び、その連結孔３１ａに固定側連結部２２を作業者が挿入し直す。また、建物６の外壁の不陸により、竪樋７が前後方向にずれて固定されてしまう場合がある。この場合は、固定側連結部２２の建物６の内外方向に複数設けられている連結凸部２２ｂの中で前後方向のずれを修正できるものを選び、その連結凸部２２ｂを連結孔３１ａに作業者が挿入する。次に、作業者が、呼び樋と竪樋７の上端との間にエルボを配設し、呼び樋と竪樋７とを接続する。そして、作業者が排水筒と竪樋７の下端とを接続する。
【００３７】
上記した竪樋支持具１は、固定側連結部２２に複数の連結凸部２２ｂを有する。固定側連結部２２は可動側連結部３１の連結孔３１ａに挿入されるので、複数の連結凸部２２ｂから連結孔３１ａに挿入する連結凸部２２ｂを選択することができる。これにより、建物６の外壁の不陸が原因で竪樋支持具１が前後方向にずれたとしても、そのずれを修正できる。そして、上記した竪樋支持具１は、可動側連結部３１に複数の連結孔３１ａを有する。連結孔３１ａに固定側連結部２２が挿入されるので、複数の連結孔３１ａから固定側連結部２２を挿入する連結孔３１ａを選択することができる。これにより、建物６の外壁に固定部材２を固定する際固定部材２が左右方向にずれたとしても、そのずれを修正できる。
【００３８】
上記したＣ字状をした止め具４は、嵌め込み孔４１に固定側連結部２２の嵌め込み部２２ｃが挿入された後、止め具４の挿入口４２が左右方向を向くまで回動させる。これにより、挿入口４２は固定側連結部２２の左右方向の面と対向することになる。挿入口４２の周方向の幅は嵌め込み部２２ｃの上下方向の高さより小さいので、止め具４が固定側連結部２２から抜け出てしまうことを防止できる。
【符号の説明】
【００３９】
１    竪樋支持具
２    固定部材
３    可動部材
４    止め具
５    結合部
６    建物
７    竪樋
【図１】
2015017414.tif 000003
【図２】
2015017414.tif 000004
【図３】
2015017414.tif 000005